(57)【要約】【課題】本発明の課題は、宝石類がリングベースから視認可能に装着され、且つ、宝石類を揺動させることが可能な身具を提供することである。【解決手段】身体の一部に脱着可能に形成されたリングベース１４と、上記リングベース１４の一部に設けられて宝石類を取り付ける台座部材１１とを少なくとも備えた装身具１０において、上記宝石類は、その外観を視認可能に上記台座部材１１に保持され、上記台座部材１１は、上記リングベース１４に揺動可能に支持されていることとした。【選択図】図２
2008237562.tif 000002
【特許請求の範囲】
【請求項１】
身体の一部に脱着可能に形成されたリングベースと、
前記リングベースの一部に設けられて宝石類を取り付ける台座部材と、
を少なくとも備えた装身具において、
前記宝石類は、その外観を視認可能に前記台座部材に保持され、
前記台座部材は、揺動手段を介して前記リングベースに揺動可能に支持されている、
ことを特徴とする装身具。
【請求項２】
前記台座部材は、前記宝石類の周囲を囲むように形成された輪状部材と、
前記輪状部材に一体的に固定され、該輪状部材と共同で前記宝石類を挟み込んで固着する挟み込み部材と、
前記輪状部材から径方向に対向して延び、揺動可能に支持された支持部材と、
を備えることを特徴とする請求項１に記載の装身具。
【請求項３】
前記揺動手段は、前記支持部材又は前記リングベースの一方に設けられた凹部と、
該凹部に嵌合され、前記支持部材又は前記リングベースの他方に形成された棒状部材とを有し、前記台座部材を前記支持部材の長手方向の軸線の回りに揺動可能とした、
ことを特徴とする請求項１又は２に記載の装身具。
【請求項４】
前記揺動手段を覆うカバー部材を有している、
ことを特徴とする請求項１から３のいずれか一つに記載の装身具。
【請求項５】
前記台座部材は一回の外的負荷で複数回揺動する、
ことを特徴とする請求項１に記載の装身具。
【請求項６】
前記支持部材と前記棒状部材とは、前記凹部と前記棒状部材との間の隙間内で揺動する、
ことを特徴とする請求項３に記載の装身具。
【発明の詳細な説明】
【技術分野】
【０００１】
本発明は、リングベースにダイヤモンドなどの宝石類を装着した装身具に関する。
【背景技術】
【０００２】
この種の装身具は、指や耳などの体の一部に装着することで、その装飾効果を発揮し、周囲の関心を呼び込んだり、身体の美しさを強調するため等に愛用されている。そのためには、装着した際にダイヤモンドなどの宝石類を目立たせる（輝かせる）ことが要求される。そこで、従来から宝石類を輝かせる方法として、宝石類に磨きをかける方法が研究開発されてきた。
【０００３】
この方法は、現在においてある程度完成された技術である。一方、近年では、装着された宝石類を揺動させることで、宝石類に照射される光が反射し、宝石類をキラキラと輝かせて装飾効果を増大させる手法が注目されている。このような手法として、例えば、特許文献１には、リングベースに設けられた宝石類が揺動するような装身具が開示されている。
【０００４】
この特許文献１に開示されている装身具は、リングベースに宝石類が揺動可能となるような大きさの空隙部を設けたものである。この空隙部内で宝石類を揺動させることで宝石類に照射する光が反射を行う。
【０００５】
また、特許文献２に開示されている装身具は、宝石類と輪状部とで結合させることで、宝石類が空隙部などで覆われることがないため、外観視したときに、例えば、ダイヤモンドのテーブルのみならず、他の面（クラウン、パビリオンなど）も見ることができる。
【０００６】
また、特許文献３には、リングベースの一部に凹部材を設け、この凹部材がダイヤモンドのキューレットとキューレットの近傍のパビリオンの受け溝となり、宝石類が落ちないように覆われているフレームを備えた装身具が開示されている。
【特許文献１】特許第３８７８５５４号公報
【特許文献２】特開２００６−１９２０５４号公報
【特許文献３】特許第３３９０１６８号公報
【発明の開示】
【発明が解決しようとする課題】
【０００７】
しかしながら、特許文献１の装身具では、宝石類がリングベースの中に陥没させて設けられているため、宝石類があまり目立たない構成となっている。つまり、外観視すると宝石類の表面（テーブル）しか見られない。よって、光が入射する箇所は表面だけとなってしまい、光の反射によるキラキラ感があまり感じられない。
【０００８】
また、特許文献２に開示されている宝石類と輪状部とで結合させる方法は、宝石類に孔を空け、その孔に輪状部を通して結合している。この分野において、なるべくなら、宝石類には孔を空けないで形成することが望まれる。
【０００９】
また、宝石類はリングベースから突起して装着されていることが好ましい。しかしながら、特許文献１に開示されている装身具は、宝石類が完全に陥没しており、特許文献２に開示されている装身具は、陥没してはいないが、突起しているとも言いがたい。
【００１０】
また、特許文献３では、特許文献１のように宝石類が殆ど覆われていることはないが、宝石類には、何も覆われないように形成されることが好ましい。更には、使用する宝石類が限定されてしまう。つまり、ダイヤモンドなどのキューレット及びパビリオンが形成されている宝石類に限定されてしまう。
【００１１】
そこで、本発明の課題は、宝石類がリングベースから視認可能に装着され、且つ、宝石類を揺動させることが可能な身具を提供することである。
【課題を解決するための手段】
【００１２】
身体の一部に脱着可能に形成されたリングベースと、上記リングベースの一部に設けられて宝石類を取り付ける台座部材とを少なくとも備えた装身具において、上記宝石類は、その外観を視認可能に上記台座部材に保持され、上記台座部材は、揺動手段を介して上記リングベースに揺動可能に支持されていることとした。
【００１３】
好ましくは、上記台座部材は、上記宝石類の周囲を囲むように形成された輪状部材と、上記輪状部材に一体的に固定され、この輪状部材と共同で上記宝石類を挟み込んで固着する挟み込み部材と、上記輪状部材から径方向に対向して延び、揺動可能に支持された支持部材とで構成されていることとした。
【００１４】
好ましくは、上記揺動手段は、上記支持部材又は上記リングベースの一方に設けられた凹部と、この凹部に嵌合され、上記支持部材又は上記リングベースの他方に形成された棒状部材とを有し、上記台座部材を上記支持部材の長手方向の軸線の回りに揺動可能とする。
【００１５】
好ましくは、上記揺動手段を覆うカバー部材を有していることとした。
【００１６】
好ましくは、上記台座部材は一回の外的負荷で複数回揺動することとした。
【００１７】
好ましくは、上記支持部材と上記棒状部材とは、上記凹部と上記棒状部材との間の隙間内で揺動することとした。
【発明の効果】
【００１８】
本発明の装身具によれば、装着状態で宝石類が揺動するようにすることで、この宝石類に照射される光が反射し、キラキラ感を発揮することができる。
【発明を実施するための最良の形態】
【００１９】
以下、本発明の実施の形態に係わる装身具について、図を用いて説明を行う。尚、本実施の形態の装身具に載置される宝石類は、ダイヤモンド、エメラルド、サファイア、ルビー、模造宝石及び人造宝石などのすべての宝石を含んでいる。本実施の形態では、宝石類としてダイヤモンドＡを取り付けた場合を例として説明する。
【００２０】
図１は、本実施の形態の装身具１０の各部の構成を示した斜視図である。装身具１０は、指などに脱着可能に形成されたリングベース１４と、このリングベース１４の一部に設けられてダイヤモンドＡを取り付ける台座部材１１とを有している。ダイヤモンドＡは、その外観を視認可能に台座部材１１に保持されている。
【００２１】
この台座部材１１は、後述の揺動手段（１２ａ、１２ｂ、２４ａ、２４ｂ）を介してリングベース１４に揺動可能に支持されている。また、この台座部材１１は、その一部がリングベース１４から突出されるようにリングベース１４に保持されている。
【００２２】
このように保持されることで、装身具１０を外観視したときに台座部材１１に載置されるダイヤモンドＡは、略全体の外観が視認可能となる。よって、本実施の形態の装身具１０は、この分野で求められていることを満足することができる。すなわち、装身具１０は、ダイヤモンドＡの略全体の大きさ、輝度及びカットデザインなどを装着状態で視認することが可能となる。
【００２３】
図２は、本実施の形態の装身具の台座部材１１を示す斜視図である。この図２において、台座部材１１は、ダイヤモンドＡの周囲を囲むように形成された輪状部材２１と、この輪状部材２１に一体的に固着され、この輪状部材２１と共同でダイヤモンドＡを挟み込んで固着する挟み込み部材２３と、輪状部材２１から径方向に対向して延び、揺動可能に支持された支持部材２２ａ、２２ｂとを有している。
【００２４】
前述した支持手段は、支持部材２２ａ、２２ｂの先端部に形成された凹部としての孔２４ａ、２４ｂと、リングベース１４に設けられたピン１２ａ、１２ｂとを有している。
【００２５】
これにより、台座部材１１は、支持部材２２ａ、２２ｂの長手方向の軸線Ｘ−Ｘの回りに振り子の原理で揺動可能となっている。これにより、台座部材１１は、一回の外的負荷で複数回揺動することが可能となる。
【００２６】
また、台座部材１１が棒状部材としてのピン１２ａ、１２ｂでリングベース１４に保持されている箇所には、カバー部材１３ａ、１３ｂが覆うように形成されている。このように装身具１０を形成することで、装身具１０を外観視したときには、ピン１２ａ、１２ｂ及び支持部材が隠れるので見栄えが良くなる。
【００２７】
輪状部材２１は、ダイヤモンドＡを収容する役目をなし、挟み込み部材２３は、ダイヤモンドＡを側面から保持する役目をなしている。支持部材２２ａ、２２ｂは輪状部材２１から径方向に対向して延びている。また、支持部材２２ａ、２２ｂの先端部に形成された孔２４ａ、２４ｂは、ピン１２ａ、１２ｂよりも大径に形成されている。このため、孔２４ａ、２４ｂにピン１２ａ、１２ｂを挿入した状態において、孔２４ａ、２４ｂとピン１２ａ、１２ｂとの間には隙間が生じている。よって台座部材１１は、この隙間内で自由に揺動させることができる。
【００２８】
台座部材１１が構成されている部材は、例えば、金属からなり、全て一体となって形成されている。この形成方法は、例えば熱溶着などで溶着し一体としている。尚、これらの構成部材の材質は、特に限定されず、例えば、チタン、金及びシルバーなどが用いられる。
【００２９】
図３は、本実施の形態の装身具１０の台座部材１１を示す平面図である。この図３において、輪状部材２１は、ドーナツ状に形成されている。すなわち、この輪状部材２１の中心部は、孔２１ａを有している。この孔２１ａを有することで、輪状部材２１はダイヤモンドＡを外周で支えている。よって、ダイヤモンドＡは、輪状部材２１で安定した位置を保つことができる。尚、この輪状部材２１は、ここでは円形状で形成されているが、この形状に限定されず、例えば多角形形状で形成しても良い。
【００３０】
また、輪状部材２１は、この輪状部材２１の外周の任意の箇所に支持部材２２ａ、２２ｂを設けている。この支持部材２２ａ、２２ｂは、図３において２箇所に設けられている。この２箇所の位置は対向した位置に形成されている。挟み込み部２３は、この対向した軸上に対して垂直軸上に設けられる。図３においては、輪状部材２１を下方と上方から挟み込むように図示している。
【００３１】
挟み込み部材２３は、輪状部材２１に載置されたダイヤモンドＡを挟み込んで固着する役目を担っている。この固着方法は、挟み込み部材２３とダイヤモンドＡとの設置面を接着剤などで固着させると良い。
【００３２】
図４は、本実施の形態の装身具の図３においてＩＶ−ＩＶ断面を示した図である。支持部材２２ａ、２２ｂは、ダイヤモンドＡを挟んで対向した位置に延びている。ＩＶ−ＩＶ断面を望むと、この支持部材２２ａ、２２ｂは輪状部材２１の径方向の両端に形成されている。
【００３３】
また、支持部材２２ａ、２２ｂは、ピン１２ａ、１２ｂを挿入するための孔２４ａ、２４ｂが形成されている。この孔２４ａ、２４ｂの外径の大きさは、ピン１２ａ、１２ｂの外径の大きさより大径に形成されている。
【００３４】
挟み込み部２３は、上述したように支持部材２２ａ、２２ｂを取り囲むように形成されているため、図４では、重なって見える。本実施の形態の台座部材１１には、支持部材２２ａ、２２ｂがダイヤモンドＡを挟んで対向する方向に延びている。
【００３５】
台座部材１１は、上述した支持部材２２ａ、２２ｂの軸線Ｘ−Ｘの回りに揺動する。この揺動は、この軸線の中心位置が支点となり、挟み込み部材２３の重心が上記直交方向に左右する。つまり、この揺動は、振り子の原理である。よって、台座部材１１は一回の外的負荷で複数回揺動させることが可能である。このことによって、ダイヤモンドＡも同様に揺動し、ダイヤモンドＡはこれに照射する光の反射角が変動しキラキラと輝き方向が変化する。しかも、この輝きの変化が長く持続する。よって、周囲の人はこれを見て視線がくぎ付けになる。
【００３６】
また、台座部材１１は、ピン１２ａ、１２ｂと支持部材２２ａ、２２ｂに形成した孔２４ａ、２４ｂとの間の隙間内で揺動するので、揺動する角度が制限できる。詳述すると、光の反射によるキラキラ感とは、照射した光が反射したり透過したり（点いたり、消えたり）の繰り返しを行うものである。よって、角度が大きすぎると上述した繰り返し時間がかかってしまう。また、角度が小さすぎると上述した繰り返し時間が早すぎてキラキラ感が目視で確認できない。そこで、本実施の形態においては、角度が制限できるため、長時間に渡ってキラキラ感を出すことができる。
【００３７】
図５は本実施の形態の装身具の図３においてＶ−Ｖ断面を示した図である。挟み込み部２３は、輪状部材２１に載置したダイヤモンドＡを挟み込むため、ダイヤモンドＡとの設置面２３ａ、２３ｂが輪状部材２１より上になるように輪状部材２１と固着されている。尚、挟み込み部２３の形状はＶ字形形状となっているが、この形状に限定されず、例えば、Ｕ字形形状で形成することが可能である。この図５において、ダイヤモンドＡは、軸線Ｘ−Ｘの回りに矢印Ａ方向に揺動する。
【００３８】
本実施の形態の装身具１０は、上述したような台座部材１１をリングベース１４に備えることで、ダイヤモンドＡに照射される光が反射することで発するキラキラ感は維持しつつ、外観視したときに従来の固着型の装身具とほぼ同様の形状で形成することが可能である。尚、本実施の形態では、宝石類としてダイヤモンドＡを例として説明したが、これに限定されず、エメラルド、サファイア、ルビー、模造宝石及び人造宝石などにも適用可能である。
【図面の簡単な説明】
【００３９】
【図１】装身具の主たる各部を示した斜視図である。
【図２】装身具の台座部を示す斜視図である。
【図３】装身具の台座部を示す平面図である。
【図４】装身具の図３においてＩＶ−ＩＶ断面を示した図である。
【図５】装身具の図３においてＶ−Ｖ断面を示した図である。
【符号の説明】
【００４０】
１０      装身具
１１      台座部材
１２ａ    棒状部材（ピン）
１２ｂ    棒状部材（ピン）
１３ａ    カバー部材
１３ｂ    カバー部材
１４      リングベース
２１      輪状部材
２１ａ    孔
２２ａ    支持部材
２２ｂ    支持部材
２３      挟み込み部材
２３ａ    設置面
２３ｂ    設置面
２４ａ    孔
２４ｂ    孔
【図３】
2008237562.tif 000003
【図１】
2008237562.tif 000004
【図２】
2008237562.tif 000005
【図４】
2008237562.tif 000006
【図５】
2008237562.tif 000007